(57)【要約】      （修正有）【課題】既設の装置や異種の装置にも付け替え・後付けすることができるエアーレーション用の吸引ユニットを提供する。【解決手段】負圧で原料を送り込むことができるローダー本体１の底部にフランジ１ｂを形成する。前記ローダー本体１の底部と連結・接続させ得るエアーレーション用の吸引ユニット２を、吸引ユニット２の筺体３内に嵌め込み得るようにするとともに、筺体３に対して着脱自在とする。前記吸引ユニット２の上端に前記ローダー本体１底部のフランジ１ｂと重ね合わせ得るフランジ２ａを形成する。エアーレーション用の吸引ユニット２を吸引ユニット２の筺体３内に嵌め込んだ上で、ローダー本体１の底部に形成されているフランジ１ｂと、筺体３内に嵌め込んだ吸引ユニット２のフランジ２ａとを重ね合わせ、ボルトとナットで両者を固定する。【選択図】図１
0003157677.tif 000002
【実用新案登録請求の範囲】
【請求項１】
負圧で原料を送り込むことができるローダー本体の底部にフランジを形成する一方、前記ローダー本体の底部と連結・接続させ得るエアーレーション用の吸引ユニットを、吸引ユニットの筺体内に嵌め込み得るようにするとともに、筺体に対して着脱自在とし、前記吸引ユニットの上端に前記ローダー本体底部のフランジと重ね合わせ得るフランジを形成したことを特徴とする異物分離装置。
【請求項２】
吸引ユニットに接続されているバキューム路にエアーブロー弁を取り付け、原料吸引中にこのエアーブロー弁を開き、原料の吸引を停止してエアーのみを吸引するようにしたことを特徴とする請求項１記載の異物分離装置。
【請求項３】
ローダー本体の上部に分離フィルタを配置することを特徴とする請求項１記載の異物分離装置。
【請求項４】
ローダー本体を縦に長いものとし、分離フィルタ無しの長いローダー本体の途中の境界レベルにおいて、重い原料と軽い異物とを分離し得るようにしたことを特徴とする請求項１記載の異物分離装置。
【請求項５】
ローダー本体の後に続く異物回収装置の上部に、回収フィルタを配置することを特徴とする請求項１又は４記載の異物分離装置。
【考案の詳細な説明】
【技術分野】
【０００１】
本考案は、例えば、合成樹脂ペレット原料から当該ペレットに付着している微粉等の異物を取り除き、あるいは、様々な粉体原料からごみ等の異物を取り除くための装置の改良に関するものである。
【背景技術】
【０００２】
様々な原料から異物を取り除くために、円筒型ないしサイクロン型のホッパ本体内に負圧で原料を送り込み、その中で原料を循環させることにより、原料とその中に含まれる異物との重量差（比重差）や大きさの違いを利用して、原料と異物とを分離する装置が開発されている（例えば、特許文献１、特許文献２参照）。
【先行技術文献】
【特許文献】
【０００３】
【特許文献１】特開平５−５００４０号公報
【０００４】
【特許文献２】特開２００４−２６７９３９号公報
【考案の概要】
【考案が解決しようとする課題】
【０００５】
この方式の分離装置にあっては、容量が比較的大きいホッパ本体と貯留タンクとの間に配置されるエアーレーション用の吸引ユニットの筺体が、貯留タンクとは着脱自在であるものの、ホッパ本体とは通常一体的である場合が多い。
【０００６】
このような場合には、エアーレーション用の吸引ユニットを既設の装置や異種の装置に付け替えて使用することができず、その使用範囲が自ずと限定されるという欠点がある。また、補修・点検等の面でも面倒である。
【０００７】
本考案は、このような欠点を解消することを目的とするもので、エアーレーション用の前記吸引ユニットを既設の装置や異種の装置にも付け替え・後付けすることを可能としたものである。
【課題を解決するための手段】
【０００８】
本考案では、負圧で原料を送り込むことができるローダー本体の底部にフランジを形成する一方、前記ローダー本体の底部と連結・接続させ得るエアーレーション用の吸引ユニットを、吸引ユニットの筺体内に嵌め込み得るようにするとともに、筺体に対して着脱自在とし、前記吸引ユニットの上端に前記ローダー本体底部のフランジと重ね合わせ得るフランジを形成したものである。
【０００９】
このようにすると、エアーレーション用の吸引ユニットを吸引ユニットの筺体内に嵌め込んだ上で、ローダー本体の底部に形成されているフランジと、吸引ユニットの筺体内に嵌め込んだ吸引ユニットのフランジとを重ね合わせ、ボルトとナットその他の固定具で両者を固定すると、前記ローダー本体の底部とエアーレーション用の吸引ユニットとを連結・接続することができる。
【００１０】
逆に、前記固定具を外して、前記ローダー本体の底部とエアーレーション用の吸引ユニットとの連結・接続状態を解除すると、ローダー本体の底部からエアーレーション用の吸引ユニットを取り外すことができる。
【００１１】
このようにした場合には、エアーレーション用の吸引ユニットをローダー本体の底部に付け替え・後付けすることが可能となるので、エアーレーション用の前記吸引ユニットを既設の装置や異種の装置にも付け替え・後付けすることが可能となり、吸引ユニットの使用範囲が格段に広がるのみならず、補修・点検等の面でも極めて有利である。
【００１２】
前記ローダー本体の底部とエアーレーション用の吸引ユニットとを連結・接続した上で、吸引ユニットに吸引空気を送り込むとともに、ブロアでローダー本体内を負圧にすると、原料をローダー本体内へ送り込むことができ、原料をローダー本体内で循環させることができる。
【００１３】
そして、原料とその中に含まれる異物との重量差（比重差）や大きさの違いにより、ローダー本体内で原料と異物とが分離され、原料は前記吸引ユニットから貯留タンクに集められ、異物のみをローダー本体外へ取り出すことができる。
【００１４】
吸引ユニットに接続されているバキューム路にエアーブロー弁を取り付け、原料吸引中にこのエアーブロー弁を開き、原料の吸引を停止してエアーのみを吸引するようにする。
このようにした場合には、ローダー本体内における原料の循環をより確実なものとすることができる。
【００１５】
ローダー本体の上部に分離フィルタを配置しておくとよい。ローダー本体の上部に分離フィルタが配置されていると、この分離フィルタを通過した異物をローダー本体外で回収することができる。
【００１６】
ローダー本体を縦に長いものとし、分離フィルタ無しの長いローダー本体の途中の境界レベルにおいて、重い原料と軽い異物とを分離し得るようにしてもよい。この場合には、ローダー本体に分離フィルタを取り付ける必要がないので、コスト的にも極めて有利である。
【００１７】
ローダー本体の後に続く異物回収装置の上部に、回収フィルタを配置しておくとよい。このようにした場合には、サイクロン現象でも落下しない異物をブロア側に行かないようにすることができる。
【考案の効果】
【００１８】
請求項１記載の考案によれば、エアーレーション用の吸引ユニットを既設の装置や異種の装置にも付け替え・後付けすることが可能となり、吸引ユニットの使用範囲が格段に広がるのみならず、補修・点検等の面でも極めて有利である。
【００１９】
請求項２記載の考案によれば、ローダー本体内における原料の循環をより確実なものとすることができる。
【００２０】
請求項３記載の考案によれば、分離フィルタを通過した異物をローダー本体外で回収することができる。
【００２１】
請求項４記載の考案によれば、ローダー本体に分離フィルタを取り付ける必要がないので、コスト的にも極めて有利である。
【００２２】
請求項５記載の考案によれば、サイクロン現象でも落下しない異物をブロア側に行かないようにすることができる。
【図面の簡単な説明】
【００２３】
【図１】本考案による異物分離装置の要部のみを示す正面図である。
【図２】その一部のみを分解して示す拡大斜視図である。
【図３】本考案による異物分離装置の一例を示す全体図である。
【図４】本考案による異物分離装置の他の例を示す全体図である。
【考案を実施するための形態】
【００２４】
本考案を実施するための形態の一例を、図面に基づいて詳細に説明する。図１に、本考案による異物分離装置の要部のみを示す。ここでは、Ａ、Ａ’で示す２つの形式の異物分離装置を例示する。ただし、両形式の異物分離装置Ａ、Ａ’の一部であるホッパ型のローダー本体１、１’の下部に連結・接続されている各装置や、これらと接続される各機器並びに配管、バキューム路等については全く同じであるので、そのうちの１つＡのみについて詳細に説明し、もう１つの形式Ａ’については、異なる部分の説明のみに止める。
【００２５】
異物分離装置Ａについて説明すると、この装置Ａにはホッパ型のローダー本体１を備えており、図１に示すように、その底部の筒体１ａにはフランジ１ｂが形成されている。
一方、図２に示すように、前記ローダー本体１の底部の筒体１ａと連結・接続させ得るエアーレーション用の吸引ユニット２を、吸引ユニット２の筺体３内に嵌め込み得るようにするとともに、筺体３に対して着脱自在とする。そして、この吸引ユニット２の上端に前記ローダー本体１底部のフランジ１ｂと重ね合わせ得るフランジ２ａを形成する。
【００２６】
前記筺体３の上面にも、前記吸引ユニット２上端のフランジ２ａを重ね合わせ得るフランジ３ａが、また、筺体３の下端にもフランジ３ｂが形成されている。
図２の矢印で示すように、エアーレーション用の吸引ユニット２を筺体３内に嵌め込むとともに、筺体３の上面に形成されているフランジ３ａの上に、筺体３内に嵌め込んだ吸引ユニット２上端のフランジ２ａを重ね合わせ、さらに、当該フランジ２ａの上にローダー本体１底部の筒体１ａに形成されているフランジ１ｂを重ね合わせる。
そして、３枚重ねのフランジ３ｂ、２ａ、１ｂを利用して一対のボルトとナット、あるいはその他の固定具により、前記ローダー本体１の底部の筒体１ａと吸引ユニット２とこの吸引ユニット２を嵌め込んだ筺体３とを連結・接続することができる。図１に、それらを固定する位置を一点鎖線で示す。
【００２７】
なお、吸引ユニット２は、図１、図２に示すように、上下両端が開口した縦向き管２ｂとその途中において当該縦向き管２ｂと連通する横向き管２ｃとを有するもので、縦向き管２ｂの上端に前記フランジ２ａが形成されている。また、前記縦向き管２ｂの下端は、斜め４５度に切断された形状で、その部分が開口部２ｄとなっている。
【００２８】
一方、筺体３の下端に形成されているフランジ３ｂを利用して一対のボルトとナット、あるいはその他の固定具により、吸引ユニット２を嵌め込んだ筺体３とその直下に位置させる貯留タンク４とを接続する。貯留タンク４は、異物を分離した後の原料を貯留するためのものである。
【００２９】
逆に、前記固定具を外して、前記ローダー本体１の底部の筒体１ａのフランジ１ｂとエアーレーション用の吸引ユニット２のフランジ２ａと吸引ユニット２を嵌め込んだ筺体３のフランジ３ａとの連結・接続状態を解除すると、ローダー本体１の底部の筒体１ａからエアーレーション用の吸引ユニット２とこの吸引ユニット２を嵌め込んだ筺体３とを取り外すことができる。
【００３０】
かくして、エアーレーション用の吸引ユニット２とこの吸引ユニット２を嵌め込んだ筺体３とをローダー本体１の底部の筒体１ａに付け替え・後付けすることが可能となる。したがって、エアーレーション用の吸引ユニット２とこの吸引ユニット２を嵌め込んだ筺体３とを既設の装置や異種の装置にも付け替え・後付けすることが可能となり、吸引ユニット２の使用範囲が格段に広がるのみならず、補修・点検等の面でも極めて有利である。
【００３１】
例えば、原料を輸送する既設の装置に、エアーレーション用の吸引ユニット２とこの吸引ユニット２を嵌め込んだ筺体３とを付け替え・後付けすることにより、既設の装置を極めて簡単に異物分離装置に変更することができる。また、異物分離装置以外の異種の各種装置にも対応可能である。
【００３２】
ローダー本体１の底部の筒体１ａと吸引ユニット２とこの吸引ユニット２を嵌め込んだ筺体３とは、上述したように互いに連結・接続されており、図３に示すように、その直下には原料貯留用の貯留タンク４が位置している。
そして、前記吸引ユニット２の横向き管２ｃには、バキューム路５が接続されており、このバキューム路５にはエアーブロー弁６が取り付けられている。前記バキューム路５の基端は原料を入れる原料タンク７と接続している。
【００３３】
一方、前記ローダー本体１の上部には分離フィルタ１２が備えられている。このローダー本体１の上部とその後に続く異物回収装置８の上部とが排出管９で接続されており、さらに、この異物回収装置８の上端部とブロワ１０とがバキューム路１１で接続されている。そして、異物回収装置８の下端には、異物回収容器Ｂが接続されている。
【００３４】
ブロワ１０を稼動させると、バキューム路１１、排出管９を介して前記ローダー本体１内は負圧になり、図３の矢印で示すように、バキューム路５を介して原料タンク７内の原料がローダー本体１内に吸引され、ローダー本体１内で循環する。
逆に、ブロワ１０を停止すると、ローダー本体１内への原料の吸引も停止され、ローダー本体１内に溜まった原料は、負圧がゼロとなるため、原料の重みでローダー本体１内を落下し、吸引ユニットの縦向き管２ｂの下端であって斜め４５度に切断された開口部２ｄに配置されているダンパー１３上に積もる。
そして、原料の重みがダンパー１３を閉じる力よりも大きくなると、ダンパー１３が自動的に開き、原料が落下してその直下の貯留タンク４内に貯留される。
【００３５】
一方、ローダー本体１内に原料が吸引されている状態において、ローダー本体１の上部では分離フィルタ１２の多数の孔を通ってローダー本体１内の空気が排出管９側に吐出される。したがって、前記分離フィルタ１２により原料と微小の異物とが分離され、分離された微小の異物は分離フィルタ１２の多数の孔を通って排出管９、異物回収装置８を経て異物回収容器Ｂ内に回収せしめられる。
【００３６】
この動作を繰り返すことにより、ローダー本体１内において順次送られてくる原料と異物とを連続的に分離することができる。
そして、前記バキューム路５による原料タンク７内の原料吸引中において、前記エアーブロー弁６を開くと、原料の吸引を停止してエアーのみを吸引することができるようになり、ローダー本体１内における原料の循環をより確実なものとすることができる。
【００３７】
図３に示す異物分離装置Ａは、最も一般的なサイクロン型のローダー本体１を有するもので、当該ローダー本体１の上部には分離フィルタ１２が備えられていることはすでに説明したところである。
これに対して、図４に示す異物分離装置Ａ’は、前記分離フィルタ１２無しの長いローダー本体１’を有するものであって、この２点を除いた他の部分については、前記ローダー本体１の他の部分と全く同じである。また、このローダー本体１’を含む異物分離装置Ａ’と接続されている他の装置や各機器ならびに配管、バキューム路等については、異物分離装置Ａの場合の接続状態と全く変更がないので、ここではその説明を省略する。
【００３８】
この異物分離装置Ａ’を用いた場合には、分離フィルタ１２無しの上下に長いローダー本体１’の境界レベルＬ（図４参照）において、重い原料は自重でローダー本体１’の下方に集められ、それよりも微小でかつ軽い異物はローダー本体１’の上部に位置し、分離フィルタ１２が無いにもかかわらず両者が自動的に分離せしめられる。
そして、異物と分離された原料は、吸引ユニット２の縦向き管２ｂを経て開口部２ｄに配置されているダンパー１３上に溜まり、原料の重みがダンパー１３を閉じる力よりも大きくなると、ダンパー１３が自動的に開き、原料が落下してその直下の貯留タンク４内に貯留される。また、原料と分離された異物は、排出管９、異物回収装置８を経て異物回収容器Ｂ内に回収せしめられる。
【００３９】
異物回収装置８の上部には回収フィルタ１４が配置されており、異物回収装置８内においてサイクロン現象によっても落下させ得ない異物がバキューム路１１を経てブロワ１０側に行かないようにしてある。
【００４０】
前記エアーブロー弁６の開く時間をタイマ設定することにより、ローダー本体１、１’内で原料等を循環させる時間を容易に変更できる。それにより、異物の回収率を調整できる。
【００４１】
また、前記分離フィルタ１２の形状、メッシュ度を変え、あるいは、分離フィルタ１２無しとすることにより、多種の原料に対応できる。さらに、動力として吸引用のブロワを使用するため、異物の回収効率も非常に優れている。
【００４２】
図１、図２における符号３ｃは、筺体３に吸引ユニット２を嵌め込んだ状態において、吸引ユニット２の横向き管２ｃを嵌挿して筺体３を閉鎖するための閉鎖カバーであり、この閉鎖カバー３ｃをボルトとナットその他の固定具により筺体３に固定することにより、吸引ユニット２を保持しながら筺体３を閉鎖することができる。図１に、筺体３への閉鎖カバー３ｃの固定位置を一点鎖線で示す。
また、図１における符号１３ａは、ダンパー１３のダンパー軸１３ｂに取り付けられたバランスウエイト（バランサー）である。
【産業上の利用可能性】
【００４３】
本考案による異物分離装置は、合成樹脂ペレット原料から当該ペレットに付着している微粉等の異物を取り除き、あるいは、様々な粉体原料からごみ等の異物を取り除くための装置など、極めて幅広い材料の異物を分離する装置に適用可能である。
【符号の説明】
【００４４】
１、１’…ローダー本体、１ｂ…フランジ、２…吸引ユニット、３…筺体、３ａ、３ｂ…フランジ、４…貯留タンク、５、１１…バキューム路、６…エアーブロー弁、７…原料タンク、８…異物回収装置、９…排出管、１０…ブロワ、１２…分離フィルタ、１３…ダンパー、１３ａ…バランスウエイト（バランサー）、１３ｂ…ダンパー軸、１４…回収フィルタ、Ａ、Ａ’…異物分離装置、Ｂ…異物回収容器、Ｌ…境界レベル。
【図１】
0003157677.tif 000003
【図２】
0003157677.tif 000004
【図３】
0003157677.tif 000005
【図４】
0003157677.tif 000006